(57)【要約】【課題】受信特性等をより改善する。【解決手段】ＯＦＤＭ方式の変調に用いられるＦＦＴ窓拡張生成方法は、ＯＦＤＭ変調された有効シンボル長Ｗ０以上の時間長の受信信号Ｓ１２に対し、拡張されたＦＦＴ窓１を用いて、ＦＦＴ処理により受信信号Ｓ１２を復調する際に、拡張されたＦＦＴ窓１は、有効シンボル長Ｗ０以上の時間長の受信信号Ｓ１２を用いている。そして、有効シンボル長Ｗ０の前又は後ろに拡張した拡張窓Ｗ１，Ｗ２を設け、有効シンボル長Ｗ０内の受信信号Ｓ１２ａであって有効シンボル長分時間位置が異なる受信信号Ｓ１２ａに対して、拡張窓Ｗ１，Ｗ２内の受信信号Ｓ１２ｂ，Ｓ１２ｃを合成する。この合成する際の有効シンボル長Ｗ０内の受信信号Ｓ１２ａと拡張窓Ｗ１，Ｗ２内の受信信号Ｓ１２ｂ，Ｓ１２ｃとの割合において、両割合の合計が１にならないＦＦＴ窓生成演算を行う。【選択図】図１
2010226428.tif 000002
【特許請求の範囲】
【請求項１】
ＯＦＤＭ変調された有効ＯＦＤＭシンボル長以上の時間長の受信信号に対し、拡張された拡張窓を用いて、ＦＦＴ処理により前記受信信号を復調する際に、前記拡張窓は、前記有効ＯＦＤＭシンボル長の前又は後ろの前記受信信号を演算により合成して生成するＦＦＴ窓拡張生成方法において、
前記合成する際の前記有効ＯＦＤＭシンボル長内の前記受信信号と前記拡張窓内の前記受信信号との割合α，βにおいて、両割合α，βの合計が（α＋β）≠１となる演算を行って前記拡張窓を生成することを特徴とするＦＦＴ窓拡張生成方法。
【請求項２】
請求項１記載のＦＦＴ窓拡張生成方法において、
前記拡張窓内の前記受信信号の割合α，βが、前記有効ＯＦＤＭシンボル長内の前記受信信号の割合より大きく、且つ両割合α，βの合計（α＋β）が１を超える演算を行うことを特徴とするＦＦＴ窓拡張生成方法。
【請求項３】
前記有効ＯＦＤＭシンボル長内の前記受信信号と前記拡張窓内の前記受信信号との繋ぎ目において所定の窓関数を掛けることを特徴とする請求項１又は２記載のＦＦＴ窓拡張生成方法。
【請求項４】
前記所定の窓関数は、傾斜窓関数であることを特徴とする請求項１〜３のいずれか1項に記載のＦＦＴ窓拡張生成方法。
【請求項５】
前記拡張窓は、
前記ＯＦＤＭ変調された前記有効ＯＦＤＭシンボル長以上の時間長の受信信号をメモリに格納し、前記格納された受信信号を用いてＦＦＴ窓生成演算手段により生成することを特徴とする請求項１〜４のいずれか１項に記載のＦＦＴ窓拡張生成方法。
【発明の詳細な説明】
【技術分野】
【０００１】
本発明は、ＯＦＤＭ（Orthogonal  Frequency  Division  Multiplex；直交周波数分割多重）変調方式により変調された受信信号を、ＦＦＴ（Fast  Fourier  Transform；高速フーリエ変換）により復調する際に用いられるＦＦＴ解析区間である拡張されたＦＦＴ窓を生成するためのＦＦＴ窓拡張生成方法に関するものである。
【背景技術】
【０００２】
従来、複数の直交サブキャリア（搬送波）を同時に伝送するＯＦＤＭ方式は、例えば、下記の特許文献１、２に記載されているように、地上系デジタルテレビジョン放送システム（以下単に「地上デジタル放送」という。）等の種々の用途に使用可能である。
【０００３】
図７は、下記の特許文献１、２等に記載された従来のＯＦＤＭ方式における伝送信号のフレーム構成図である。以下、図７を参照しつつ、従来のＯＦＤＭ方式の復調方法を説明する。
【０００４】
各伝送シンボルＳＢは、ガードインターバル（サイクリックプリフィックスとも言う。）ＧＩと有効ＯＦＤＭシンボル（以下単に「有効シンボル」という。）Ｓとにより構成されている。ガードインターバルＧＩは、有効シンボルＳの時間波形の後部Ｓａを抽出し、先頭にコピーしたものである。
【０００５】
ＯＦＤＭ方式を用いたデジタル伝送では、伝送路に歪みやマルチパスが存在すると、受信信号の直交性は損傷を受けて乱され、復調信号に符号間干渉（Inter  Symbol  Interference、以下「ＩＳＩ」という。）を生じることになり、誤り率を悪化させる。これを解決するために、送信エネルギー（送信電力）の一部を犠牲にして、本来伝送したい有効シンボルＳの前に、この有効シンボルＳの後部（全体の数十分の１から数分の１の期間）Ｓａのデータを用い、緩衝データ部分として無効なＩＳＩ吸収用のガードインターバルＧＩが設けられる。このようなガードインターバルＧＩを設けると、直接波の他に、障害物により反射された遅延波が存在しても、この遅延量がガードインターバルＧＩよりも短かければ、ＩＳＩを生じることなく良好な受信が可能となる。
【０００６】
このような構成の送信信号が受信側に送られてくると、受信側では、ガードインターバルＧＩの情報を無視することで、あるキャリアだけに遅延が生じた場合でも、このガードインターバルＧＩ内であれば、遅延が無視されるので、正しく受信できる。特に、ガードインターバルＧＩには有効シンボルＳの後部Ｓａのデータがコピーされているので、あるキャリアがずれても情報が欠落することはない。
【０００７】
そのため、従来の復調方法では、ガードインターバル除去部により、受信されたＯＦＤＭの伝送信号から、伝送シンボルＳＢ毎にそのガードインターバルＧＩを除去し、有効シンボルＳのみを抽出する。抽出された有効シンボルＳは、ＦＦＴ部により、高速離散フーリエ変換して復調している。
【０００８】
しかし、従来のＯＦＤＭ復調では、ガードインターバルＧＩをつけた変調波形からＯＦＤＭ変調信号の１周期のみしか復調に用いないため、ガードインターバルＧＩと同じ長さに相当する受信信号波形は用いていない。そのため、ガードインターバルＧＩを送っていた分の電力効率が下がってしまう。
【０００９】
この対策として、例えば、特許文献１、２に記載された技術では、ＯＦＤＭ方式の変調に用いられるＦＦＴ窓拡張生成方法において、ＯＦＤＭ変調された有効シンボル長Ｗ以上の時間長の受信信号に対し、拡張されたＦＦＴ窓を用いて、ＦＦＴ処理により前記受信信号を復調する際に、前記拡張されたＦＦＴ窓は、前記有効シンボル長Ｗの前又は後ろの前記受信信号を演算により合成して生成している。
【先行技術文献】
【特許文献】
【００１０】
【特許文献１】特開２００８−１０９１７３号公報
【００１１】
【特許文献２】特表２００８−５３７４２４号公報
【発明の概要】
【発明が解決しようとする課題】
【００１２】
しかしながら、特許文献１、２等に記載された従来のＦＦＴ窓拡張生成方法では、拡張窓分の受信信号を使用しているので、受信特性を改善でき、更に、フェージング（fading）耐性を向上でき、これにより、ガードインターバルＧＩを送っていた分の電力効率を向上できるが、特性の改善効果が小さいので、更なる特性の改善が望まれていた。
【課題を解決するための手段】
【００１３】
本発明のＦＦＴ窓拡張生成方法は、ＯＦＤＭ変調された有効シンボル長以上の時間長の受信信号に対し、拡張された拡張窓を用いて、ＦＦＴ処理により前記受信信号を復調する際に、前記拡張窓は、前記有効シンボル長の前又は後ろの前記受信信号を演算により合成して生成するＦＦＴ窓拡張生成方法において、前記合成する際の前記有効シンボル長内の前記受信信号と前記拡張窓内の前記受信信号との割合α，βにおいて、両割合α，βの合計が（α＋β）≠１となる演算を行って前記拡張窓を生成することを特徴とする。
【発明の効果】
【００１４】
本発明のＦＦＴ窓拡張生成方法によれば、（α＋β）≠１となる演算を行って拡張窓を生成しているので、回線品質劣化原因の支配項がコード間干渉（Inter  Carrier  Interference、以下「ＩＣＩ」という。）等の位相回転によるものであれば、従来のα＋β＝１とする方法より特性を改善できる。従って、受信特性やフェージング耐性をより向上できる。
【図面の簡単な説明】
【００１５】
【図１】図１は本発明の実施例１の概要を示すＯＦＤＭ方式における伝送信号のフレーム構成図である。
【図２】図２は図１のＯＦＦＭ方式における伝送信号の例を示すフレーム構成図である。
【図３】図３は図１のＯＦＤＭ方式における伝送信号の他の例を示すフレーム構成図である。
【図４】図４は本発明の実施例１を示すＯＦＤＭ方式における復調装置の概略の構成図である。
【図５】図１は本発明の実施例２の概要を示すＯＦＤＭ方式における伝送信号のフレーム構成図である。
【図６】図６は図５のＯＦＤＭ方式における伝送信号の例を示すフレーム構成図である。
【図７】図７は従来のＯＦＤＭ方式における伝送信号のフレーム構成図である。
【発明を実施するための形態】
【００１６】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１７】
図１は、本発明の実施例１の概要を示すＯＦＤＭ方式における伝送信号のフレーム構成図である。図２は、図１のＯＦＤＭ方式における伝送信号の例を示すフレーム構成図であり、更に、図３は、図１のＯＦＤＭ方式における伝送信号の他の例を示すフレーム構成図である。
【００１８】
図１には、受信信号Ｓ１２における基準位相θの例が示され、これに対応して、従来方法による基準位相θの例、実施例１の図２による基準位相θの例（係数α＝１．１、β＝０）、及び実施例１の図３による基準位相θの例（係数α＝０．６、β＝０．５）が示されている。
【００１９】
図１〜図３に示す伝送信号のフレーム構成は、従来の図７のフレーム構成と同様に、例えば、ＯＦＤＭ方式で変調された送信信号（伝送信号）が、複数の伝送シンボルＳＢをひとまとめにして１フレームが構成される。１フレームの先頭には、同期検出用のパイロットシンボルが挿入されている。パイロットシンボルは、無信号期間であり、この信号を用いて受信側においてシンボル基準信号を生成することができる。各伝送シンボルＳＢは、ガードインターバルＧＩと有効シンボルＳとにより構成されている。ガードインターバルＧＩは、有効シンボルＳの時間波形の後部を抽出し、先頭にコピーしたものである。
【００２０】
本実施例１の特徴は、有効シンボルＳ以上の時間長に相当する受信信号をメモリに格納し、このメモリに格納された受信信号から、ＦＦＴ窓生成演算により、有効シンボルＳの時間長以上に拡張した分の受信信号（即ち、有効シンボル長Ｗ０の先頭及び末尾に拡張窓（拡張ウィンドウ）Ｗ１，Ｗ２がそれぞれ付加された拡張されたＦＦＴ窓１）を用いてＦＦＴ入力信号を生成するためのＦＦＴ窓拡張方法である。
【００２１】
以下、このＦＦＴ窓拡張方法を用いたＯＦＤＭ方式の復調装置及びこの復調方法について説明する。
【００２２】
（実施例１の復調装置）
図４（ａ）、（ｂ）は、本発明の実施例１を示すＯＦＤＭ方式における復調装置の概略の構成図であり、同図（ａ）は復調装置の全体の図、及び、同図（ｂ）は復調装置中のメモリ及びＦＦＴ窓生成演算部の機能ブロック図である。
【００２３】
図４（ａ）に示すＯＦＤＭ方式の復調装置は、装置の動作タイミングを制御する同期処理部１０を有している。同期処理部１０には、受信された入力信号Ｓｉｎの周波数を変換してアナログベースバンド信号Ｓ１１を出力する周波数変換部１１と、そのアナログベースバンド信号Ｓ１１をデジタルベースバンド信号である受信信号Ｓ１２に変換するアナログ／デジタル（以下「Ａ／Ｄ」という。）変換部１２と、その受信信号Ｓ１２を高速離散フーリエ変換処理して複素シンボルデータからなる受信データＳ２４を出力するＦＦＴ処理部２０と、その受信データＳ２４を復号処理して復調データＳｏｕｔを出力する復号部２５等とが接続されている。
【００２４】
ＦＦＴ処理部２０は、有効シンボルＳ以上の時間長に相当する受信信号Ｓ１２を格納するメモリ２１と、このメモリ２１に格納された受信信号Ｓ１２から、有効シンボルＳの時間長（即ち、有効シンボル長）Ｗ０と同一のＦＦＴ入力信号長fft_t_length（これに相当する受信信号Ｓ１２ａはrx_sig(T)）以上に拡張した分の受信信号[即ち、拡張窓Ｗ１分の受信信号Ｓ１２ｂはrx_sig(T-fft_t_length)、拡張窓Ｗ２分の受信信号Ｓ１２ｃはrx_sig(T+fft_t_length)]を用いて、ＦＦＴ入力信号fft_in(T)を生成するＦＦＴ窓生成演算部２２と、そのＦＦＴ入力信号fft_in(T)を高速離散フーリエ変換してパラレル受信データを出力するＦＦＴ部２３と、そのパラレル受信データをシリアル受信データＳ２４に変換するパラレル／シリアル（以下「Ｐ／Ｓ」という。）変換部２４とを有している。
【００２５】
図４（ｂ）に示すメモリ２１は、受信信号Ｓ１２を入力し、有効シンボル長Ｗ０に相当する受信信号Ｓ１２ａ＝rx_sig(T)と、有効シンボルＳの時間長以上に拡張した拡張窓Ｗ１の受信信号Ｓ１２ｂ＝rx_sig(T-fft_t_length)と、有効シンボル長Ｗ０以上に拡張した拡張窓Ｗ２の受信信号Ｓ１２ｃ＝rx_sig(T+fft_t_length)とを格納する領域を有している。
【００２６】
図４（ｂ）に示すＦＦＴ窓生成演算部２２は、メモリ２１から読み出された有効シンボル長Ｗ０の受信信号Ｓ１２ｂに対して割合である係数αを掛ける乗算手段２２ａと、メモリ２１から読み出された拡張窓Ｗ１の受信信号Ｓ１２ｃに対して割合である係数βを掛ける乗算手段２２ｂと、メモリ２１から読み出された拡張窓Ｗ２の受信信号Ｓ１２ａに対して係数βを掛ける乗算手段２２ｃとを有している。乗算手段２２ａ及び２２ｂの出力側には、加算手段２２ｄが接続され、更に、乗算手段２２ａ及び２２ｃの出力側にも、加算手段２２ｅが接続されている。
【００２７】
ここで、係数αは、図２及び図３中の拡張窓Ｗ１，Ｗ２にそれぞれ含まれる受信信号Ｓ１２ｂ，Ｓ１２ｃの成分に掛け合わせるものである（この時の係数βは０≦β≦１）。更に、係数βは、図２及び図３中の有効シンボル長Ｗ０に含まれる受信信号Ｓ１２ａの成分に掛け合わせるものである（この時の係数αは０≦α≦１）。本実施例１の特徴は、α＋β≠１に設定している。図２では、係数１≦α≦０、係数β＝０の例が示されている。又、図３では、係数１≦α≦０、係数１≦β≦０の例が示されている。
【００２８】
加算手段２２ｄは、乗算手段２２ａの出力信号Ｓ２２ａ＝α*rx_sig(T)と乗算手段２２ｂの出力信号Ｓ２２ｂ＝β*rx_sig(T-fft_t_length)とを加算して出力信号Ｓ２２ｄ＝{α*rx_sig(T)+β*rx_sig(T-fft_t_length)}を出力するものであり、この出力側に乗算手段２２ｆが接続されている。加算手段２２ｅは、乗算手段２２ｃの出力信号Ｓ２２ｃ＝β*rx_sig(T+fft_t_length)と乗算手段２２ａの出力信号Ｓ２２ａとを加算して出力信号Ｓ２２ｅ＝{β*rx_sig(T+fft_t_length)+α*rx_sig(T)}を出力するものであり、この出力側に乗算手段２２ｇが接続されている。
【００２９】
乗算手段２２ｆは、加算手段２２ｄの出力信号Ｓ２２ｄに対して係数1/(α+β)を掛けて出力信号Ｓ２２ｆ＝{α*rx_sig(T)+β*rx_sig(T-fft_t_length)}/(α+β)を出力するものであり、この出力側に切替手段２２ｈが接続されている。乗算手段２２ｇは、加算手段２２ｅの出力信号Ｓ２２ｅに対して係数1/(α+β)を掛けて出力信号Ｓ２２ｇ＝{β*rx_sig(T+fft_t_length)+α*rx_sig(T)}/(α+β)を出力するものであり、この出力側に切替手段２２ｈが接続されている。
【００３０】
切替手段２２ｈは、乗算手段２２ｆの出力信号Ｓ２２ｆと、受信信号Ｓ１２ａと、乗算手段２２ｇの出力信号Ｓ２２ｇとを切り替えて、これらを順にＦＦＴ入力信号fft_in(T)の形でＦＦＴ部２３へ出力するものである。
【００３１】
（実施例１の復調方法）
本実施例１の復調方法の特徴は、図４の復調装置において、有効シンボル長Ｗ０の他に、拡張窓Ｗ１，Ｗ２による受信信号成分を使用し、部分的な時間ダイバシティ（diversity）効果を得るものである。以下、この復調方法を説明する。
【００３２】
ＯＦＤＭ変調された図１〜図３のような伝送信号（例えば、図３の伝送信号）が、フィルタリング等の信号処理が施された後、入力信号Ｓｉｎとして入力されると、この入力信号Ｓｉｎが周波数変換部１１により、対応するアナログベースバンド信号Ｓ１１に変換される。変換されたアナログベースバンド信号Ｓ１１は、Ａ／Ｄ変換部１２によりサンプリングされてデジタルベースバンド信号（Ｉ信号及びＱ信号）である受信信号Ｓ１２に変換され、この変換されたＯＦＤＭシンボル以上の時間長に相当する受信信号Ｓ１２がＦＦＴ処理部２０内のメモリ２１に格納される。
【００３３】
ＦＦＴ処理部２０内のＦＦＴ窓生成演算部２２では、図３に示すように、有効シンボル長Ｗ０分の受信信号Ｓ１２ａに加え、この受信信号Ｓ１２ａと連続する前後の拡張窓Ｗ１，Ｗ２に含まれる受信信号Ｓ１２ｂ，Ｓ１２ｃをＦＦＴ入力信号fft_in(T)に用いるために、以下のようなＦＦＴ窓生成演算を行う。
【００３４】
図３の受信信号Ｓ１２の先頭に位置する拡張窓Ｗ１にて得られる受信信号Ｓ１２ｂは、有効シンボル長Ｗ０分だけ後となる時間位置の有効シンボルＳ内の受信信号Ｓ１２ａと合成する。同様に、受信信号Ｓ１２の末尾に位置する拡張窓Ｗ２にて得られる受信信号Ｓ１２ｃは、有効シンボル長Ｗ０分だけ前となる時間位置の有効シンボルＳ内の受信信号Ｓ１２ａと合成する。これらを数式で表すと、（１）式のようになる。
【００３５】
【数１】
2010226428.tif 000003
【００３６】
但し、Ｔ：受信信号Ｓ１２のサンプリング時間
fft_in(T)：ＦＦＴ入力信号
rx_sig(T)：受信信号Ｓ１２
fft_t_length：ＦＦＴ入力信号長（有効シンボル長と同一）
spr_win_size：拡張窓長
α：ＦＦＴ窓１の外側の拡張窓Ｗ１，Ｗ２に含まれる信号成分に掛け合わせる係
数（０≦β≦１）
β：有効シンボル長Ｗ０に含まれる信号成分に掛け合わせる係数（０≦α≦１）
（なお、図２はβ＝０とした例）
【００３７】
このような演算により得られたＦＦＴ入力信号fft_in(T)は、ＦＦＴ処理部２０内のＦＦＴ部２３により、高速離散フーリエ変換されて各サブキャリアに対応したパラレル受信データに変換される。変換されたパラレル受信データは、Ｐ／Ｓ変換部２４により、シリアル受信データ（複素シンボルデータ）Ｓ２４に変換される。
【００３８】
変換されたシリアル受信データＳ２４は、復号部２５により、伝送路特性の補正を行う波形等化処理、振幅と位相情報を検出するＱＡＭ（Quadrature  Amplitude  Modulation）マッピング処理、トレリス復号処理、及び誤り訂正処理等が行われて復調データＳｏｕｔが出力される。
【００３９】
（実施例１の効果）
本実施例１によれば、次の（ａ）〜（ｃ）のような効果がある。
【００４０】
（ａ）  本実施例１では、従来の特許文献１、２等に記載された方法と異なり、ＦＦＴ窓１内の受信信号Ｓ１２ａに含まれる信号成分と、拡張窓Ｗ１，Ｗ２の受信信号Ｓ１２ｂ，Ｓ１２ｃに含まれる信号成分とに、それぞれ掛け合わせる係数α，βが、１／２やそれぞれの係数α，βの合計が１になる（α＋β＝１）等の電力的に従来の方法で行った場合の信号成分と同様になるよう合わせることを、敢えてしない。例えば、係数α＝０．６、β＝０．５とした場合、拡張窓Ｗ１，Ｗ２の信号成分が、ＦＦＴ窓１内の有効シンボル長Ｗ０に含まれる信号成分に比べ、電力的に大きくなる。しかし、図１に示されるように、フェージング等による位相回転が生じた場合においては、位相回転角がもっとも大きくなっている拡張窓Ｗ１，Ｗ２に含まれる信号成分の電力割合を高くし、時間位置を変えて合成することにより、ＦＦＴ窓１内の位相回転成分をより強く打ち消すことが可能となる。
【００４１】
このα＋β≠１とする方法は、希望信号成分の時間領域における信号レベルの連続性は失われ希望信号の劣化が生じる場合があるが、回線品質劣化原因の支配項がＩＣＩ等の位相回転によるものであれば、従来の特許文献１、２等に記載されたα＋β＝１とする方法より特性が改善する。
【００４２】
（ｂ）  同一の変調信号成分を持ち、且つ無相関の雑音成分が重畳する拡張窓Ｗ１，Ｗ２の受信信号Ｓ１２ｂ，Ｓ１２ｃにより、この拡張窓Ｗ１，Ｗ２に含まれる雑音成分を抑圧する効果が生じ、受信特性をより改善できる。
【００４３】
（ｃ）  同一の変調信号成分を持ち、且つ無相関の雑音成分が重畳する拡張窓Ｗ１，Ｗ２の受信信号Ｓ１２ｂ，Ｓ１２ｃにより、フェージングによる変調信号成分の位相回転を緩和してＩＣＩの影響を軽減することで、フェージング耐性をより向上できる。
【実施例２】
【００４４】
(実施例２の構成)
図５は本発明の実施例２の概要を示すＯＦＤＭ方式における伝送信号のフレーム構成図、及び、図６は図５のＯＦＤＭ方式における伝送信号の例を示すフレーム構成図であり、実施例１を示す図１〜図３中の要素と共通の要素には共通の符号が付されている。
【００４５】
図５には、受信信号Ｓ１２における基準位相θの例が示され、これに対応して、実施例１の図２への適用例である本実施例２の例と、実施例１の図３への適用例である本実施例２の他の例が示されている。又、図６には、図５に対応して、実施例１の図２に対して傾斜窓関数を用いた場合の本実施例２の例と、実施例１の図３に対して傾斜窓関数を用いた場合の本実施例２の他の例とが示されている。
【００４６】
本実施例２の伝送信号のフレーム構成、及び復調装置の構成は、実施例１とほぼ同様である。
【００４７】
（実施例１の復調方法・効果）
本実施例２は、実施例１と同様に、有効シンボルＳ以上の時間長に相当する受信信号Ｓ１２をメモリ２１に格納し、このメモリ２１に格納された受信信号Ｓ１２から、ＦＦＴ窓生成演算部２２を用いたＦＦＴ窓生成演算により、有効シンボルＳの時間長以上に拡張した拡張窓Ｗ１，Ｗ２の受信信号を用いてＦＦＴ入力信号fft_in(T)を生成するためのＦＦＴ窓拡張方法である。
【００４８】
本実施例２のＦＦＴ窓拡張方法は、例えば、図５及び図６に示すように、図４中のＦＦＴ窓生成演算部２２により、実施例１の図２において、ＦＦＴ窓１の外側の拡張窓Ｗ１，Ｗ２の受信信号Ｓ１２ｂ，Ｓ１２ｃの成分を、有効シンボル長Ｗ０の受信信号Ｓ１２ａの成分に合成する場合、拡張窓Ｗ１，Ｗ２の受信信号Ｓ１２ｂ，Ｓ１２ｃの成分が合成される時間領域（例えば、受信信号Ｓ１２ｂ＋Ｓ１２ｃ、受信信号Ｓ１２ｃ＋Ｓ１２ａ、受信信号Ｓ１２ａ＋Ｓ１２ｂ、受信信号Ｓ１２ｂ＋Ｓ１２ｃ）と、合成されない時間領域（例えば、受信信号Ｓ１２ｃ、受信信号Ｓ１２ｂ）との境界線の近傍において、所定の窓関数（例えば、傾斜窓関数）を掛けるようにしている。
【００４９】
又、実施例１の図３において、拡張窓Ｗ１，Ｗ２の受信信号Ｓ１２ｂ，Ｓ１２ｃの成分が合成される時間領域（例えば、受信信号Ｓ１２ａ＋Ｓ１２ｂ＋Ｓ１２ｃ、受信信号Ｓ１２ｃ＋Ｓ１２ａ、受信信号Ｓ１２ａ＋Ｓ１２ｂ、受信信号Ｓ１２ａ＋Ｓ１２ｂ＋Ｓ１２ｃ）と、合成されない時間領域（例えば、受信信号Ｓ１２ｃ、受信信号Ｓ１２ｂ）との境界線の近傍において、傾斜窓関数を掛けるようにしている。
【００５０】
そのため、ＦＦＴポイント数が少ないＯＦＤＭにおいては、ＦＦＴ入力信号fft_in(T)の総数に対する非連続点（図５に示す基準位相θが繋がっていない箇所）により生じる希望信号の劣化が軽減される。ＦＦＴ入力に非連続点により生じる不要信号成分がある場合、ＦＦＴポイント数が大きい程、１ポイント当たりに混入する非連続点による劣化成分割合が小さくなる。従って、ＦＦＴポイント数が小さい程、このような傾斜窓関数を掛けることで受信性能が改善する。
【００５１】
このようなＦＦＴ窓生成演算により得られたＦＦＴ入力信号fft_in(T)は、実施例１と同様に、ＦＦＴ処理部２０内のＦＦＴ部２３により、高速離散フーリエ変換されて各サブキャリアに対応したパラレル受信データに変換された後、実施例１と同様に、Ｐ／Ｓ変換部２４及び復号部２５により処理され、復調データＳｏｕｔが出力される。従って、実施例１とほぼ同様の効果を奏することができる
【００５２】
（変形例）
本発明は、上記実施例に限定されず、例えば、図４に示すＦＦＴ窓生成演算部２２を他の構成の機能ブロックに変更したり、あるいは、図５及び図６の傾斜窓関数に代えて他の窓関数を用いてこれを掛けるようにしてもよい。又、本発明のＦＦＴ窓拡張生成方法は、地上デジタル放送に限らず、ＯＦＤＭ変調を用いるもの全てにおいて適用可能であり、それらに対して特性改善が強く見込まれる。
【符号の説明】
【００５３】
２０      ＦＦＴ処理部
２１      メモリ
２２      ＦＦＴ窓生成演算部
２３      ＦＦＴ部
２４      Ｐ／Ｓ変換部
【図１】
2010226428.tif 000004
【図２】
2010226428.tif 000005
【図３】
2010226428.tif 000006
【図４】
2010226428.tif 000007
【図５】
2010226428.tif 000008
【図６】
2010226428.tif 000009
【図７】
2010226428.tif 000010